【手続補正書】
【提出日】平成19年5月30日(2007.5.30)
【手続補正１】
【補正対象書類名】特許請求の範囲
【補正対象項目名】全文
【補正方法】変更
【補正の内容】
【特許請求の範囲】
【請求項１】
ヒドロゲルを細胞外マトリックスに一体化させるための組成物であって、該組成物は、以下：
（ａ）アルデヒド基を有する化合物およびアミノ基を有するキャリア化合物を含むプライミング因子であって、該プライミング因子は、複数のアミノ基を含む露出された細胞外マトリックスと反応して、該細胞外マトリックスと該プライミング因子とが共有結合し、それによって、プライミングされた細胞外マトリックスが作製される、プライミング因子；
（ｂ）該プライミングされた細胞外マトリックスに添加される重合可能因子の溶液
を含み、ここで
該プライミングされた細胞外マトリックスは該重合可能因子と反応して、該重合可能因子が該プライミングされた細胞外マトリックスに共有結合し、そして該重合可能因子が架橋して、該細胞外マトリックスに共有結合されたヒドロゲルが作製される、組成物。
【請求項２】
前記細胞外マトリックスが、生体内に配置されるのに適している、請求項１に記載の組成物。
【請求項３】
前記体が、哺乳動物の体である、請求項２に記載の組成物。
【請求項４】
前記体が、ヒトの体である、請求項３に記載の組成物。
【請求項５】
前記重合可能因子および前記プライミング因子の各々が、アクリレート、ジアクリレート、オリゴアクリレート、ジメタクリレートおよびオリゴメタクリレートからなる群より選択される少なくとも１つのフリーラジカル重合可能基を有する、請求項１に記載の組成物。
【請求項６】
前記細胞外マトリックスおよび前記重合可能因子が、反応の間、紫外線放射源に曝露される、請求項１に記載の組成物。
【請求項７】
レドックス開始剤をさらに含む、請求項１に記載の組成物。
【請求項８】
前記反応が、イオン架橋反応である、請求項１に記載の組成物。
【請求項９】
前記反応が、酵素的架橋反応である、請求項１に記載の組成物。
【請求項１０】
経皮的使用に適している、請求項１に記載の組成物。
【請求項１１】
拡散性薬物材料が前記重合可能因子とともに添加される、請求項１に記載の組成物。
【請求項１２】
複数の生細胞が、前記重合可能因子とともに添加される、請求項１に記載の組成物。
【請求項１３】
請求項１に記載の組成物であって、それによって、組織における固体修復が生じる、組成物。
【請求項１４】
以下の工程：
（ｅ）露出された細胞外マトリックスを提供する工程；
（ｆ）プライミング因子を用いて処理することによって該細胞外マトリックスをプライミングして、プライミングされた細胞外マトリックスを作製する工程；
（ｇ）該プライミングされた細胞外マトリックスに重合可能因子の溶液を添加する工程；および
（ｈ）該プライミングされた細胞外マトリックスと重合可能因子とを反応させて、該細胞外マトリックスに共有結合されたヒドロゲルを作製する工程
を包含する方法によって生成されるヒドロゲルであって、
ここで、該細胞外マトリックスは複数のアミノ基を含み、該プライミング因子はアルデヒド基を有する化合物およびアミノ基を有するキャリア化合物を含み、該プライミングする工程は、該プライミング因子を該細胞外マトリックスと反応させて、該細胞外マトリックスと該プライミング因子とを共有結合する工程を包含し、該プライミングされた細胞外マトリックスは、該プライミング因子に共有結合された該細胞外マトリックスからなり、そして該反応工程は、該重合可能因子を該プライミングされた細胞外マトリックスに共有結合させる工程および該重合可能因子を架橋する工程からなる、ヒドロゲル。
【請求項１５】
細胞外マトリックスにおける複数のアミノ基においてプライミング因子を介して該細胞外マトリックスに共有結合されたヒドロゲル。
【請求項１６】
第１の組織表面を第２の組織表面と接着させるための組成物であって、該組成物は、以下：
プライミングされた第１の組織表面およびプライミングされた第２の組織表面を作製するためのプライミング因子；
該プライミングされた第１の組織表面およびプライミングされた第２の組織表面に添加される重合可能因子の溶液
を含み、ここで
該プライミングされた第１の組織表面およびプライミングされた第２の組織表面は該重合可能因子と反応して、該第１の組織表面および第２の組織表面に共有結合され、かつ該第１の組織表面と第２との組織表面を架橋するヒドロゲルが作製される、組成物。
【請求項１７】
前記第１の組織表面および第２の組織表面が軟骨である、請求項１６に記載の組成物。
【請求項１８】
前記第１の組織表面および第２の組織表面が靭帯である、請求項１６に記載の組成物。
【請求項１９】
前記第１の組織表面および第２の組織表面が腱である、請求項１６に記載の組成物。
【請求項２０】
前記第１の組織表面および第２の組織表面が半月板である、請求項１６に記載の組成物。
【請求項２１】
前記第１の組織表面および第２の組織表面が骨膜である、請求項１６に記載の組成物。
【請求項２２】
前記第１の組織表面および第２の組織表面が骨である、請求項１６に記載の組成物。
【請求項２３】
前記第１の組織表面および第２の組織表面が回旋腱板の少なくとも１つの腱である、請求項１６に記載の組成物。
【請求項２４】
前記重合可能因子が、アクリレート、ジアクリレート、オリゴアクリレート、ジメタクリレートおよびオリゴメタクリレートからなる群より選択される少なくとも１つのフリーラジカル重合可能基を有する、請求項１６に記載の組成物。
【請求項２５】
前記細胞外マトリックスおよび前記重合可能因子が、紫外線放射源に曝露される、請求項１６に記載の組成物。
【請求項２６】
レドックス開始剤をさらに含む、請求項１６に記載の組成物。
【請求項２７】
前記反応が、イオン架橋反応である、請求項１６に記載の組成物。
【請求項２８】
前記反応が、酵素的架橋反応である、請求項１６に記載の組成物。
【請求項２９】
拡散性薬物材料が前記重合可能因子とともに添加される、請求項１６に記載の組成物。
【請求項３０】
複数の生細胞が前記重合可能因子とともに添加される、請求項１６に記載の組成物。
【請求項３１】
前記重合可能因子とともに添加される前記複数の生細胞が、治療タンパク質を分泌するように遺伝的に操作される、請求項３０に記載の組成物。
【請求項３２】
前記重合可能因子とともに添加される前記複数の生細胞が、脈管形成因子を分泌するように遺伝的に操作される、請求項３０に記載の組成物。
【請求項３３】
ヒドロゲルを細胞外マトリックスに一体化させるための組成物であって、該組成物は、以下：
（ａ）プライミングされた細胞外マトリックスを作製するように細胞外マトリックスで処理されるプライミング因子であって、該プライミング因子は、少なくとも１つのアルデヒド基を有する多糖を含む、プライミング因子；
（ｂ）該プライミングされた細胞外マトリックスに添加される重合可能因子
を含み、ここで
該プライミングされた細胞外マトリックスは該重合可能因子と反応して、該細胞外マトリックスに共有結合されたヒドロゲルが作製される、組成物。
【請求項３４】
前記細胞外マトリックスが軟骨である、請求項３３に記載の組成物。
【請求項３５】
前記軟骨が、哺乳動物に配置されるのに適している、請求項３４に記載の組成物。
【請求項３６】
前記多糖が、コンドロイチン硫酸である、請求項３３に記載の組成物。
【請求項３７】
前記プライミング因子がさらに、アクリレート、ジアクリレート、オリゴアクリレート、ジメタクリレートおよびオリゴメタクリレートからなる群より選択される少なくとも１つのフリーラジカル重合基を含む、請求項３３に記載の組成物。
【請求項３８】
前記重合可能因子が、アクリレート、ジアクリレート、オリゴアクリレート、ジメタクリレートおよびオリゴメタクリレートからなる群より選択される少なくとも１つのフリーラジカル重合可能基を有する、請求項３３に記載の組成物。
【請求項３９】
前記プライミングされた細胞外マトリックスおよび前記重合可能因子が、紫外線放射に曝露される、請求項３３に記載の組成物。
【請求項４０】
前記重合可能因子が、生物学的に活性な物質を含む、請求項３３に記載の組成物。
【請求項４１】
前記生物学的に活性な物質が、自己細胞を含む、請求項４０に記載の組成物。
【請求項４２】
前記生物学的に活性な物質が、成長因子を含む、請求項４０に記載の組成物。
【請求項４３】
以下の工程：
（ａ）複数のアミノ基を含む細胞外マトリックスを、少なくとも１つのアルデヒド基を有する多糖を含むプライミング因子で処理することによって、該細胞外マトリックスをプライミングして、プライミングされた細胞外マトリックスを作製する工程であって、ここで該プライミング工程は、該プライミング因子と該細胞外マトリックスとを反応させて、該細胞外マトリックスと該プライミング因子とを共有結合させる工程を包含する、工程；
（ｂ）該プライミングされた細胞外マトリックスに重合可能因子を添加する工程；および
（ｃ）該プライミングされた細胞外マトリックスと重合可能因子とを反応させて、該細胞外マトリックスに共有結合されたヒドロゲルを作製する工程であって、ここで該反応工程は、該重合可能因子を該プライミングされた細胞外マトリックスに共有結合させかつ該重合可能因子を架橋させる工程を包含する、工程
を包含する方法によって生成される、ヒドロゲル。
【請求項４４】
前記細胞外マトリックスが、軟骨である、請求項４３に記載のヒドロゲル。
【請求項４５】
前記軟骨が、哺乳動物に配置されるのに適している、請求項４４に記載のヒドロゲル。
【請求項４６】
前記多糖が、コンドロイチン硫酸である、請求項４３に記載のヒドロゲル。
【請求項４７】
前記プライミング因子がさらに、アクリレート、ジアクリレート、オリゴアクリレート、ジメタクリレートおよびオリゴメタクリレートからなる群より選択される少なくとも１つのフリーラジカル重合基を含む、請求項４３に記載のヒドロゲル。
【請求項４８】
前記重合可能因子が、アクリレート、ジアクリレート、オリゴアクリレート、ジメタクリレートおよびオリゴメタクリレートからなる群より選択される少なくとも１つのフリーラジカル重合可能基を有する、請求項４３に記載のヒドロゲル。
【請求項４９】
前記反応工程がさらに、前記プライミングされた細胞外マトリックスおよび前記重合可能因子を紫外線放射に曝露することを含む、請求項４３に記載のヒドロゲル。
【請求項５０】
前記重合可能因子が、生物学的に活性な物質を含む、請求項４３に記載のヒドロゲル。
【請求項５１】
前記生物学的に活性な物質が、自己細胞を含む、請求項５０に記載のヒドロゲル。
【請求項５２】
前記生物学的に活性な物質が、成長因子を含む、請求項５０に記載のヒドロゲル。
【請求項５３】
プライミング因子および重合可能因子を備えるキットであって、該プライミング因子は、アルデヒド基を有する化合物およびキャリアを含む、キット。